(57)【要約】【課題】優れた血行増進作用、温熱効果、鎮静作用、鎮痛作用および自律神経調整作用を得ることのできる入浴器具を提供する。【解決手段】入浴器具１０は、浴室ＢＲ内の浴槽ＢＴの湯ＨＷ中に浸漬する微細気泡発生部１１と、微細気泡発生部１１から浴槽ＢＴ内の湯ＨＷ中へ微細気泡ＮＢ混じりの流体（湯ＨＷ）を放出させるために微細気泡発生部１１へ湯ＨＷおよび空気を供給する気液供給装置２４とを備えている。気液供給装置２４は、微細気泡発生部１１に対し液体導入経路１８を経由して浴槽ＢＴ内の湯ＨＷを循環供給するポンプＰと、微細気泡発生部１１に対し気体導入経路１５を経由して大気中の空気を供給するエアポンプＡＰと、微細気泡発生部１１へ供給する空気中の酸素濃度を高めるための酸素富化器１６と、大気中の空気を吸い込む際に塵埃などの不純物を除去するためのエアクリーナ１７とを備えている。【選択図】  図１
2006150049.tif 000002
【特許請求の範囲】
【請求項１】
仮想中心線を包囲して設けられた周壁と前記周壁の前記仮想中心線方向の両端に設けられた隔壁とで形成された流体旋回室と、前記仮想中心線に対してねじれの位置をなす方向に沿って前記流体旋回室内へ流体を導入するため前記流体旋回室に連通して設けられた液体導入経路と、前記流体旋回室内に気体を導入するため前記流体旋回室の一方の前記隔壁に開設された気体導入経路と、前記流体旋回室の他方の前記隔壁に開設された吐出口とを有する微細気泡発生器と、前記液体導入経路を介して前記流体旋回室内へ液体を送給する液体供給手段と、を備えたことを特徴とする入浴器具。
【請求項２】
前記気体導入経路の一部に酸素富化器を設けた請求項１記載の入浴器具。
【請求項３】
前記流体旋回室内へ空気を圧送するため前記気体導入経路の一部にエアポンプを配置した請求項１または２記載の入浴器具。
【請求項４】
複数の前記微細気泡発生器を、それぞれの前記吐出口を対向させて配置した請求項１〜３のいずれかに記載の入浴器具。
【請求項５】
複数の前記微細気泡発生器を、それぞれの流体旋回室内の仮想中心線同士のなす角度が１８０±５度となるように対向させ、且つ、それぞれの前記流体旋回室内に発生する気液旋回流の旋回方向が互いに同方向となるように配置した請求項４記載の入浴器具。
【請求項６】
対向配置された前記吐出口の間に複数の前記吐出口と連通する混合室を設け、前記混合室の一部に前記混合室内へ吐出された微細気泡混じりの流体を外部へ放出する放出口を開設した請求項４または５記載の入浴器具。
【請求項７】
複数の前記微細気泡発生器を、各仮想中心線同士が互いに略平行をなし、且つそれぞれの前記吐出口が同方向を向くように配置した請求項１〜３のいずれかに記載の入浴器具。
【発明の詳細な説明】
【技術分野】
【０００１】
本発明は、入浴中の浴槽内に微細気泡を発生させたり、シャワー器具として使用したりすることのできる入浴器具に関する。
【背景技術】
【０００２】
入浴中の浴槽内に気泡を発生させると、入浴者の皮膚に適度の刺激が与えられ、マッサージ効果や疲労回復効果などが得られることが広く知られている。このため、従来、様々な方式の気泡発生装置が開発されているが、本願に関連するものとして、浴槽の底部に配置された気泡発生手段に空気を圧送して湯中に気泡を発生させるもの（例えば、特許文献１，２参照。）、あるいは浴槽内に投入した気泡発生器具に空気を導入して湯中に気泡を発生させるもの（例えば、特許文献３，４参照。）などがある。
【０００３】
【特許文献１】特開２００４−８９３９１号公報
【特許文献２】特開２００１−１１２６６２号公報
【特許文献３】実開平７−３９８２８号公報
【特許文献４】特開平１１−１８８０７０号公報
【発明の開示】
【発明が解決しようとする課題】
【０００４】
特許文献１〜４に記載された気泡発生装置によって形成される気泡の外径はｍｍオーダーの比較的大きなものであるため、湯中に送り込まれた気泡の殆どは湯中で急速に浮上した後、湯面で弾けて消失してしまう。従って、これらの気泡によって得られる効果は、入浴者に対するマッサージ効果あるいは浴槽内の湯を循環させる効果程度である。
【０００５】
本発明が解決しようとする課題は、優れた血行増進作用、鎮静作用、鎮痛作用および自律神経調整作用を得ることのできる入浴器具を提供することにある。
【課題を解決するための手段】
【０００６】
本発明の入浴器具は、仮想中心線を包囲して設けられた周壁と前記周壁の前記仮想中心線方向の両端に設けられた隔壁とで形成された流体旋回室と、前記仮想中心線に対してねじれの位置をなす方向に沿って前記流体旋回室内へ流体を導入するため前記流体旋回室に連通して設けられた液体導入経路と、前記流体旋回室内に気体を導入するため前記流体旋回室の一方の前記隔壁に開設された気体導入経路と、前記流体旋回室の他方の前記隔壁に開設された吐出口とを有する微細気泡発生器と、前記液体導入経路を介して前記流体旋回室内へ液体を送給する液体供給手段と、を備えたことを特徴とする。
【０００７】
このような構成において、液体供給手段により液体導入経路を介して流体旋回室内へ液体を送給すれば、液体は流体旋回室の仮想中心線に対してねじれの位置をなす方向に沿って流体旋回室内へ送り込まれるため、流体旋回室内には、仮想中心線の周りで回転する旋回流が発生し、その中心部分である仮想中心線に沿って負圧空洞部が形成される。このため、流体旋回室の一方の隔壁に開設された気体導入経路を経由して流体旋回室内へ気体（大気中の空気）が導入され、流体旋回室内には気液旋回流が形成される。
【０００８】
この負圧空洞部は渦キャビテーションとも呼ばれるが、成長した渦キャビテーションの先端部が気液旋回流によって引き千切られ、大量の微細気泡混じりの流体となって、流体旋回室の他方の隔壁に開設された吐出口から吐出される。従って、本発明の入浴器具を浴槽の湯中に浸漬させた状態で前記動作を行えば、湯中に向かって大量の微細気泡混じりの流体を吐出させることができ、入浴器具が大気中にある状態で前記動作を行えば、吐出口から人体の一部などの対象物に向かって大量の微細気泡混じりの流体を吐出させることができる。
【０００９】
このように吐出口から微細気泡混じりの流体を吐出させた場合、同時に、２８ｋＨｚ以上の超音波が可聴域から連続したバンドで発生するため、発生した超音波により、湯に浸かった人体あるいは微細気泡混じりの流体を浴びる人体に対する血行増進作用、鎮静作用、鎮痛作用および自律神経調整作用が得ることができるものと推測される。
【００１０】
例えば、関節痛に対する鎮静作用、鎮痛作用は３０ｋＨｚ〜１ＭＨｚの周波数帯域における５００ｍＷ／ｃｍ2程度の出力の超音波が有効であり、骨折部分の治癒促進のためには１０ｋＨｚ〜１ＭＨｚの周波数帯域における１Ｗ／ｃｍ2程度の出力の超音波が有効であるといわれている。
【００１１】
ここで、前記気体導入流路の一部に酸素富化器を設ければ、酸素富化器によって酸素濃度が高められた空気を流体旋回室内へ供給することが可能となるため、大気よりも酸素濃度の高い空気を内包する微細気泡の混じり液体を吐出口から浴槽内の湯中に向かってへ吐出させることができる。従って、浴槽内の湯から気化した酸素により、浴槽上部の酸素濃度が高まり、入浴者は爽快感を得ることができる。また、溶存酸素濃度の高い湯には、人体の疼痛症状を緩和する作用もあるため、このような症状がある部位を鎮静する効果も得ることができる。
【００１２】
また、前記流体旋回室内へ空気を圧送するため前記気体導入経路の一部にエアポンプを配置することもできる。このような構成とすれば、浴槽の底面付近などの水圧の高い位置に微細気泡発生器が配置された場合、あるいは空気が酸素富化器を通過する際の抵抗が大である場合においても、流体旋回室内へ確実に空気を供給することが可能となるため、微細気泡混じりの流体を吐出口から安定して吐出させることができる。
【００１３】
さらに、複数の前記微細気泡発生器を、それぞれの前記吐出口を対向させて配置することもできる。このような構成とすれば、それぞれの吐出口から対向して吐出される微細気泡混じりの流体と、それぞれの吐出口から発生する超音波とが互いに衝突するようになり、このとき外径が数百μｍ程度の比較的大径の気泡が機械的に破壊され、破泡の際にも超音波が発生する。これによって、前述した微細気泡発生器から発生する超音波とともに複合合成された超音波がバンド状態で発生するようになるため、適応周波数の異なる様々な症状に対応することが可能となる。
【００１４】
この場合、複数の前記微細気泡発生器を、それぞれの流体旋回室内の仮想中心線同士のなす角度が１８０±５度となるように対向させ、且つ、それぞれの前記流体旋回室内に発生する気液旋回流の旋回方向が互いに同方向となるように配置することが望ましい。このような構成とすれば、それぞれの微細気泡発生器の吐出口から対向して吐出される微細気泡混じりの流体の旋回方向が互いに一致するとともに、旋回流の仮想中心線同士が略同一直線上に並ぶため、相乗効果により、１つの微細気泡発生器の作用の２倍を超える作用を発揮し、前述した作用がさらに向上する。なお、前記流体旋回室の仮想中心線同士のなす角度が１８０±５度の範囲から外れると、前述した効果は大幅に低下するが、１つの微細気泡発生器によって得られる作用の２倍程度の作用を得ることができる。
【００１５】
この場合、対向配置された前記吐出口の間に複数の前記吐出口と連通する混合室を設け、前記混合室の一部に前記混合室内へ吐出された微細気泡混じりの流体を外部へ放出する放出口を開設することもできる。このような構成とすれば、それぞれの吐出口から吐出された微細気泡混じりの流体は、混合室内で互いに衝突しながら撹拌された後、放出口から放出されることとなる。従って、微細気泡混じりの流体を所望の部位に向けて放出させることが可能となり、マッサージ効果を得ることができるようになる。
【００１６】
一方、複数の前記微細気泡発生器を、各仮想中心線同士が互いに略平行をなし、且つそれぞれの前記吐出口が同方向を向くように配置した構成とすることもできる。このような構成とすれば、互いに旋回方向の異なる２種類の微細気泡混じりの流体を同時に吐出させることが可能となり、血行増進作用、鎮静作用、鎮痛作用および自律神経調整作用を得ることができる。
【発明の効果】
【００１７】
本発明により、以下に示す効果を奏することができる。
【００１８】
（１）仮想中心線を包囲して設けられた周壁と前記周壁の前記仮想中心線方向の両端に設けられた隔壁とで形成された流体旋回室と、前記仮想中心線に対してねじれの位置をなす方向に沿って前記流体旋回室内へ流体を導入するため前記流体旋回室に連通して設けられた液体導入経路と、前記流体旋回室内に気体を導入するため前記流体旋回室の一方の前記隔壁に開設された気体導入経路と、前記流体旋回室の他方の前記隔壁に開設された吐出口とを有する微細気泡発生器と、前記液体導入経路を介して前記流体旋回室内へ液体を送給する液体供給手段と、を備えたことにより、血行増進作用、鎮静作用、鎮痛作用および自律神経調整作用を得ることができる。
【００１９】
（２）前記気体導入経路の一部に酸素富化器を設ければ、大気中の空気より酸素濃度の高い空気を内包した微細気泡混じりの流体を吐出口から吐出させることが可能となるため、流体中の溶存酸素濃度が高まり、鎮静作用、鎮痛作用、爽快感を得ることができる。
【００２０】
（３）前記流体旋回室内へ空気を圧送するため前記気体導入経路の一部にエアポンプを配置すれば、微細気泡発生器が液圧の高い領域に配置された場合、あるいは空気が酸素富化器を通過する際の抵抗が大である場合においても、流体旋回室内へ確実に空気を供給することが可能となるため、微細気泡混じりの流体を安定的に吐出させることができる。
【００２１】
（４）複数の前記微細気泡発生器を、それぞれの前記吐出口を対向させて配置すれば、微細気泡混じりの流体が互いに衝突して気泡の破壊が促進され、超音波がバンド状態で発生するようになるため、適応周波数の異なる様々な症状に対応することが可能となる。
【００２２】
（５）複数の前記微細気泡発生器を、それぞれの流体旋回室内の仮想中心線同士のなす角度が１８０±５度となるように対向させ、且つ、それぞれの前記流体旋回室内に発生する気液旋回流の旋回方向が互いに同方向となるように配置すれば、それぞれの微細気泡発生器の吐出口から対向して吐出される微細気泡混じりの流体の旋回方向が互いに一致するとともに、旋回流の仮想中心線同士が略同一直線上に並ぶため、相乗効果により、１つの微細気泡発生器の２倍を超える作用を発揮し、前述した作用がさらに向上する。
【００２３】
（６）対向配置された前記吐出口の間に複数の前記吐出口と連通する混合室を設け、前記混合室の一部に前記混合室内へ吐出された微細気泡混じりの流体を外部へ放出する放出口を開設すれば、微細気泡混じりの流体を所望の部位に向けて放出することが可能となり、マッサージ効果を得ることができる。
【００２４】
（７）複数の前記微細気泡発生器を、各仮想中心線同士が互いに略平行をなし、且つそれぞれの前記吐出口が同方向を向くように配置すれば、互いに旋回方向の異なる２種類の微細気泡混じりの流体を同時に吐出させることが可能となり、血行増進作用、鎮静作用、鎮痛作用および自律神経調整作用を得ることができる。
【発明を実施するための最良の形態】
【００２５】
以下、図面に基づいて、本発明の実施の形態について説明する。図１は本発明の第１実施形態である入浴器具の使用状態を示す図、図２は図１に示す入浴器具の側面図、図３は図１に示す入浴器具の正面図、図４は図１に示す入浴器具を構成する微細気泡発生器を示す斜視図、図５は図４におけるＢ−Ｂ線断面図、図６は図２におけるＡ−Ａ断面図、図７は図４に示す入浴器具内における微細気泡発生状態を示す図、図８は図１に示す入浴器具のその他の使用状態を示す図である。
【００２６】
図１に示すように、本実施形態の入浴器具１０は、浴室ＢＲ内の浴槽ＢＴの湯ＨＷ中に浸漬したり、後述する図８に示すように、浴槽ＢＴ内において入浴者Ｍが手に持ったりして使用することのできる微細気泡発生部１１と、微細気泡発生部１１に湯ＨＷおよび空気を供給するため浴槽ＢＴの外に配置された気液供給装置２４とを備えている。そして、図１に示すように、微細気泡発生部１１から浴槽ＢＴ内の湯ＨＷ中へ微細気泡ＮＢ混じりの流体（湯ＨＷ）を放出させたり、図８に示すように、入浴者Ｍの身体の一部に向かって微細気泡ＮＢ混じりの流体（湯ＨＷ）を放出させたりすることができる。
【００２７】
図１〜図４に示すように、微細気泡発生部１１内には２つの微細気泡発生器１２，１３が配置され、気液供給装置２４は、微細気泡発生器１２，１３に対し液体導入経路１８を経由して浴槽ＢＴ内の湯ＨＷを循環供給するポンプＰと、微細気泡発生器１２，１３に対し気体導入経路１５，１４ａ，１４ｂを経由して大気中の空気を供給するエアポンプＡＰと、微細気泡発生器１２，１３へ供給する空気中の酸素濃度を高めるための酸素富化器１６と、大気中の空気を吸い込む際に塵埃などの不純物を除去するためのエアクリーナ１７とを備え、液体導入経路１８の吸込口にはフィルタ１９が設けられている。気液供給装置２４は、商用電源から供給されるＡＣ１００Ｖの電流を電源アダプタＡＤで降圧、整流して得られた直流電流で作動する。
【００２８】
気体導入経路１５は分器具２３によって２つの気体導入経路１４ａ，１４ｂに分流され、エアポンプＡＰにより、大気中の空気をエアクリーナ１７を通して吸い込み、酸素富化器１６を通過することによって酸素富化された空気をそれぞれ気体導入経路１４ａ，１４ｂを経由して、微細気泡発生部１１内の微細気泡発生器１２，１３へ供給する。また、気液供給装置２４に設けられたポンプＰにより、フィルタ１９を通して吸い込んだ浴槽ＢＴ内の湯ＨＷを液体導入経路１８およびこれから分岐した液体導入経路１８ａ，１８ｂを通して微細気泡発生器１２，１３へ供給する。
【００２９】
浴槽ＢＴ内の湯ＨＷ中に浸漬された微細気泡発生部１１は、２つの微細気泡発生器１２，１３を略直方体形状のケーシング１１ａ内に配置することによって形成されている。また、これらの微細気泡発生器１２，１３は、後述するように、それぞれの吐出口２８を同一直線上で互いに対向させた状態でケーシング１１ｃ内に配置されている。
【００３０】
ここで、図４〜図７を参照しながら、微細気泡発生器１２，１３の構造、機能などについて説明する。なお、微細気泡発生器１２，１３は、図６に示すように、ケーシング１１ａ内に配置された状態で互いに鏡面対象な構造であり、構成部分も同じであるため、以下、微細気泡発生器１３について説明し、微細気泡発生器１２については、微細気泡発生器１３の構成部分と同じ符号を付して説明を省略する。
【００３１】
微細気泡発生器１３は、仮想中心線２５ｃを包囲して設けられた周壁２５ｄと周壁２５ｄの仮想中心線２５ｃ方向の両端に設けられた隔壁２５ａ，２５ｂとで形成された流体旋回室２５と、仮想中心線２５ｃに対してねじれの位置をなす方向に沿って流体旋回室２５内へ流体（湯ＨＷ）を導入するため流体旋回室２５に連通して設けられた液体導入経路１８ｂ（１８ａ）と、流体旋回室２５内に気体（空気）を導入するため流体旋回室２５の一方の隔壁２５ａに開設された気体導入経路１４ｂ（１４ａ）と、流体旋回室２５の他方の隔壁２５ｂに開設された吐出口２８と、を備えている。液体導入経路１８ｂ（１８ａ）は液体導入口２７により流体旋回室２５に連通し、気体導入経路１４ｂ（１４ａ）は気体導入口２６により流体旋回室２５に連通している。
【００３２】
図１に示すように、浴槽ＢＴ内の湯ＨＷ中に微細気泡発生部１１および液体導入経路１８のフィルタ１９を浸漬した状態で気液供給装置２４のポンプＰおよびエアポンプＡＰを作動させると、浴槽ＢＴ内からフィルタ１９および液体導入経路１８を経由して吸い込まれた湯ＨＷが、液体導入経路１８ｂを経由して液体導入口２７から流体旋回室２５内へ流入し、図７に示すように、流体旋回室２５内に旋回流Ｒが発生する。そして、この旋回流Ｒのほぼ仮想中心線に沿って略円筒状の負圧空洞部Ｖが出現し、この負圧空洞部Ｖの一方の端部は流体旋回室２５の隔壁２５ａに開設された気体導入口２６付近に位置するとともに、負圧空洞部Ｖの他方の端部は流体旋回室２５の隔壁２５ｂに開設された吐出口２８付近に位置し、吐出口２８付近に位置する負圧空洞部Ｖの端部は括れた状態となる。
【００３３】
このように流体旋回室２５内に出現する負圧空洞部Ｖの負圧により、気体導入口２６付近にも負圧が生じるため、この負圧に起因する吸引力およびエアポンプＡＰの圧送力により、気体導入経路１５，１４ｂを経由して大気中から吸引された空気が気体導入口２６から流体旋回室２５内の負圧空洞部Ｖ内へ連続的に流入し、流体旋回室２５内に導入された湯ＨＷとともに旋回流Ｒを形成する。
【００３４】
負圧空洞部Ｖ内へ流入した空気は、流体旋回室２５内に発生している旋回流Ｒに連行され吐出口２８から吐出される。このとき、負圧空洞部Ｖの吐出口２８側の端部において旋回流Ｒによってねじ切られて微細気泡ＮＢとなり、旋回流Ｒを形成する流体（湯ＨＷ）とともに、微細気泡ＮＢ混じりの流体（湯ＨＷＨ）となって吐出口２８から混合室２９内へ吐出される。混合室２９は、対向配置された微細気泡発生器１２，１３の間に設けられ、それぞれの吐出口２８と連通している。
【００３５】
このように微細気泡発生器１２，１３の吐出口２８からそれぞれ混合室２９内へ吐出された微細気泡ＮＢ混じりの流体（湯ＨＷ）は、混合室２９内を循環した後、ケーシング１１ａに開設された放出口２９ａから浴槽ＢＴ内の湯ＨＷ中へ放出される。このように、放出口２９ａから湯ＨＷ中へ微細気泡ＮＢ混じりの流体（湯ＨＷ）を放出することにより、浴槽ＢＴ内の湯ＨＷ中へ酸素や窒素などを供給、溶解させることができる。このため、酸素などの溶存濃度の高い微細気泡ＮＢ混じりの流体（湯ＨＷ）が、浴槽ＢＴ内をムラなく循環することとなり、湯ＨＷ中に浸漬された入浴者Ｍの身体に対する、血行増進作用、温熱作用、鎮静作用、鎮痛作用および自律神経調整作用を得ることができる。
【００３６】
このような血行増進作用、温熱作用、鎮静作用、鎮痛作用および自律神経調整作用は、微細気泡ＮＢ混じりの流体（湯ＨＷ）が直接当たっている部分に限らず、その他の部分まで及ぶので、関節痛、筋肉痛などの手、足、腰の痛みなども軽減または解消することができる。また、入浴者Ｍが浴槽ＢＴ内の湯ＨＷ中に身体を浸漬している状態で、微細気泡発生部１１を湯ＨＷ中に投入し、気液供給装置２４のポンプＰおよびエアポンプＡＰを作動させるだけで使用できるため、使い方も極めて簡単である。
【００３７】
一方、微細気泡発生器１２，１３の内部においては、その流体旋回室２５内に出現する負圧空洞部Ｖの一方の端部から空気を導入しながら他方の端部の延長方向に向かって微細気泡ＮＢ混じりの流体を放出する。このため、この負圧空洞部Ｖは流体旋回室２５の仮想中心線２５ｃ付近に安定的に存在し続け、その両端もそれぞれ気体導入口２６付近および吐出口２８付近に安定的に位置する。従って、負圧空洞部Ｖが流体旋回室２５の内面などに接触することがなく、微細気泡発生器１２，１３内にキャビテーション・エロージョンが発生しなくなるため、耐久性向上に有効である。
【００３８】
また、微細気泡発生器１２，１３は、略円筒形状をした流体旋回室２５に液体導入口２７、気体導入口２６および吐出口２８を開設した簡素な構造であるため、取り扱いは容易であり、湯ＨＷや空気に伴って流入した異物が詰まりやすい細かな流路もないので、定期的なメンテナンスも不要である。
【００３９】
また、図６に示すように、流体旋回室２５の隔壁２５ａに開設された気体導入口２６を、流体旋回室２５の仮想中心線２５ｃに沿って内側へ突出させて配置するとともに、流体旋回室２５の周壁２５ｄと気体導入口２６との間に、滑らかに連続した凹曲面２１を設けている。このため、図７に示すように、流体旋回室２５内に形成される負圧空洞部Ｖの隔壁２５ａ側の端部から空気が導入され、隔壁２５ｂ側の端部の延長方向に向かって微細気泡ＮＢ混じりの流体（湯ＨＷ）を吐出する。したがって、負圧空洞部Ｖは流体旋回室２５の仮想中心線２５ｃ付近に安定的に存在し続け、その両端部も吐出口２８付近および気体導入口２６付近に安定的に位置する。
【００４０】
このように、気体導入口２６を流体旋回室２５の内側へ突出させて配置するとともに凹曲面２１を設けたことによって負圧空洞部Ｖの気体導入口２６側の端部が不規則に移動するのを防止することができる。このため、流体旋回室２５の隔壁２５ａ，２５ｂにキャビテーション・エロージョンなどが生じることもなくなり、優れた耐久性が得られる。また、図５，図６に示すように、流体旋回室２５の隔壁２５ｂ寄りの領域には、他の領域より内径の大きい予備旋回部２５ｐを設けている。このため、液体導入口２７から導入された湯ＨＷを予備旋回部２５ｐにおいて一旦整流した後、流体旋回室２５全体へ導入することができる。これによって、液体導入口２７から導入される湯ＨＷの圧力変動が緩衝され、圧力変動に起因する負圧空洞部Ｖの移動を防止することができるため、キャビテーション・エロージョンの発生を防止することができる。
【００４１】
また、図６に示すように、微細気泡発生器１２，１３においては、液体導入口２７の開口面積を吐出口２８の開口面積より大としているため、流体旋回室２５内へ送給される湯ＨＷの入り口よりも微細気泡ＮＢ混じりの流体の出口の方が小さくなっている。従って、ポンプＰによって送給される湯ＨＷの圧力によって流体旋回室２５内の液圧が高まり、吐出口２８から放出される微細気泡ＮＢ混じりの流体の流勢が増大するため、混合室２９内に強い循環流が形成された上で、放出口２９ａから微細気泡ＮＢ混じりの流体（湯ＨＷ）が放出される。このため、浴槽ＢＴ内の湯ＨＷの循環が良好となり、湯ＨＷに浸漬された入浴者Ｍの身体に対するマッサージ作用が高まり、血行増進作用も良好となる。
【００４２】
このように、流体旋回室２５内に発生する旋回流Ｒで形成された大量の微細気泡ＮＢ混じりの流体（湯ＨＷ）を２つの吐出口２８から放出口２９ａを経て浴槽ＢＴ内の湯ＨＷ中へ吐出させることができるため、ＨＷ湯中に浸漬された身体に対する血行増進作用、温熱作用、鎮静作用、鎮痛作用および自律神経調整作用が高まり、従来の泡風呂よりも優れた疲労回復作用、健康増進作用を得ることができる。
【００４３】
また、微細気泡発生器１２，１３内で旋回している微細気泡ＮＢ混じりの流体とキャビテーションに起因するものと考えられる超音波が、微細気泡発生器１２，１３の吐出口２８から発生していることを、吐出口２８付近で観測することができたが、このような超音波によって血行増進作用が高まり、前述した鎮静作用、鎮痛作用、自律神経調整作用に寄与しているのではないかと推測される。さらに、微細気泡発生器１２，１３をステンレスなどの金属材料で形成した場合より、合成樹脂材料で形成した場合の方が、超音波が透過しやすく、吐出口２８付近で強い超音波が発生する傾向があることも確認している。従って、微細気泡発生器１２，１３を合成樹脂材料で形成すれば、微細気泡発生器１２，１３内で発生した超音波を浴槽ＢＴ内の湯ＨＷ中へ効率良く放射することができる。
【００４４】
本実施形態では、気体導入経路１５に酸素富化器１６を設けているため、この酸素富化器１６を通過することによって酸素濃度が高められた空気を流体旋回室２５へ供給することができる。従って、大気中の空気より酸素濃度より高い空気を内包した大量の微細気泡ＮＢ混じりの流体（湯ＨＷ）が吐出口２８から放出口２９ａを経由して湯ＨＷ中へ吐出することとなる。このため、浴槽ＢＴ内の湯ＨＷ中の溶存酸素濃度および浴槽ＢＴ上部の酸素濃度が高まり、鎮静作用、鎮痛作用および爽快感を得ることができる。
【００４５】
本実施形態では、酸素富化器１６として、有機高分子化合物で形成された複数の酸素富化膜１６ａを内蔵したものを用いている。このような酸素富化膜１６ａを通過する窒素分子の通過速度は、酸素の通過速度よりも遅いため、大気中から吸い込んだ空気が酸素富化膜１６ａを通過することにより、大気よりも酸素含有比率の高い空気が形成される。一般に大気中の空気の酸素と窒素の存在比は、酸素約２１％、窒素約７９％であるが、酸素富化器１６を通過した後の空気においては、酸素約３０％、窒素約７０％となり、酸素含有率が高くなる。
【００４６】
また、気体導入経路１５には、流体旋回室２５内へ空気を圧送するためのエアポンプＡＰを配置しているため、浴槽ＢＴが深いなどの理由により、微細気泡発生部１１が水圧の高い領域に配置された場合、あるいは空気が酸素富化器１６を通過する際の抵抗が大である場合においても、流体旋回室２５内へ確実に空気を供給することができる。このため、微細気泡ＮＢ混じりの流体を、浴槽ＢＴ内の湯ＨＷ中へ、安定的に吐出させることができる。
【００４７】
一方、複数の微細気泡発生器１２，１３を、それぞれの流体旋回室２５の仮想中心線２５ｃが同一直線上にあり、且つ、それぞれの吐出口２８が対向する状態に配置している。従って、それぞれの吐出口２８付近および微細気泡発生器１２，１３から発生する超音波と、微細気泡ＮＢと流体（湯ＨＷ）とが衝突して破泡することによって発生した超音波とが重なり合い、周波数帯域の広いバンド状の超音波となって、湯ＨＷ中に浸漬された入浴者Ｍの身体に照射されることとなる。これにより、湯ＨＷ中に浸漬された身体に対し、優れた血行増進作用、温熱効果、鎮静作用、鎮痛作用および自律神経調整作用を得ることができる。
【００４８】
また、対向配置された複数の吐出口２８の間に、これらの吐出口２８と連通する混合室２９を設け、混合室２９の一部に、混合室２９内へ吐出された微細気泡ＮＢ混じりの流体を外部へ放出する放出口２９ａを設けている。従って、微細気泡ＮＢ混じりの流体（湯ＨＷ）を所望の部位に向かって放出することが可能であり、これによって優れたマッサージ効果が得られるため、血行増進作用、温熱効果、鎮静作用、鎮痛作用および自律神経調整作用をさらに向上させることができる。
【００４９】
なお、本実施形態では、図７に示すように、複数の微細気泡発生器１２，１３のそれぞれの流体旋回室２５内で発生する旋回流Ｒの旋回方向が互いに同方向となるように液体導入経路１８ａ，１８ｂを配管しているが、流体旋回室２５に対する液体導入経路１８ａ，１８ｂのいずれか一方の配管位置を変更することにより、微細気泡発生器１２，１３内の旋回流Ｒの旋回方向が互いに逆方向となるようにすることもできる。また、液体導入経路１８と液体導入経路１８ａ，１８ｂとの連結部分に切替弁を設け、微細気泡発生器１２，１３の両方に湯ＨＷを供給したり、いずれか一方のみに湯ＨＷを供給したりできる構成とすることもできる。さらに、浴槽ＢＴ内に収容する液体は湯ＨＷに限定するものではないので、水あるいはその他の液体を収容して、図１に示すような状態で入浴に供することもできる。
【００５０】
なお、浴槽ＢＴの形状は特に限定するものではないので、使用条件に応じて、浅くしたり、深くしたりすることができる。また、本実施形態では、浴槽ＢＴ内を湯ＨＷで満たして、微細気泡発生器１２，１３の流体旋回室２５の仮想中心線２５ｃが水平状態となるような姿勢で微細気泡発生部１１を湯ＨＷ中に浸漬しているが、このような配置に限定するものではないので、浴槽ＢＴの形状あるいは入浴者Ｍの希望に応じて、仮想中心線２５ｃが垂直状態あるいは斜め状態となるように微細気泡発生部１１を配置することもできる。
【００５１】
例えば、図８に示すように、浴槽ＢＴ内に浅く湯ＨＷを入れ、その湯ＨＷ中に下半身部分を浸漬した入浴者Ｍが微細気泡発生部１１を手Ｈで持って身体に近づけ、微細気泡発生部１１から放出される微細気泡ＮＢ混じりの流体（湯ＨＷ）を身体に吹き付けるような使い方をすることもできる。このような使い方をすれば、入浴者Ｍは、微細気泡発生部１１から発生する超音波を至近距離で身体に浴びることができるため、優れた血行増進作用、温熱効果、鎮静作用、鎮痛作用および自律神経調整作用を得ることができる。
【００５２】
次に、図９，図１０を参照して、本発明の第２実施形態について説明する。図９は本発明の第２実施形態である入浴器具の使用状態を示す斜視図、図１０は図９に示す入浴器具のその他の使用状態を示す図である。なお、本実施形態の入浴器具３０の構成部分において、前述した入浴器具１０の構成部分と同じ機能を発揮する部分については、図１〜図８と同じ符号を付して説明を省略する。
【００５３】
図９に示すように、本実施形態の入浴器具３０は、浴槽ＢＴ内の湯ＨＷ中に浸漬された微細気泡発生部３１と、液体導入経路１８を経由して吸い込んだ浴槽ＢＴ内の湯ＨＷを液体導入経路１８ｂを経由して微細気泡発生部３１へ供給するポンプＰと、大気中の空気を吸い込んで微細気泡発生部３１へ供給する気体導入経路１５とを備えている。微細気泡発生部３１は、図４，図５で示した１台の微細気泡発生器１３を備えている。
【００５４】
図９に示すような状態でポンプＰを作動させると、浴槽ＢＴ内から吸い込まれた湯ＨＷが液体導入経路１８ｂを経由して微細気泡発生器１３内へ供給され、自然吸気により空気中から吸い込まれた空気が気体導入経路１５を経由して微細気泡発生器１３内へ供給される。これにより、図７で示したように、微細気泡発生器１３内に旋回流Ｒおよび負圧空洞部Ｖが形成され、これによって発生した微細気泡ＮＢ混じりの流体（湯ＨＷ）が、吐出口２８から浴槽ＢＴ内の湯ＨＷ中へ吐出される。
【００５５】
従って、入浴器具１０の場合と同様、浴槽ＢＴ内の湯ＨＷ中に浸かった入浴者Ｗは、血行増進作用、温熱効果、鎮静作用、鎮痛作用および自律神経調整作用を得ることができる。入浴器具３０の場合、微細気泡発生部３１は１台の微細気泡発生器１３を備えるとともに、微細気泡発生器１３に対する空気の供給を自然吸気で行い、エアポンプや酸素富化器などを無くしているため、構造が簡素であり、小型軽量である。従って、浴室ＢＲや浴槽ＢＴなどが狭い場合でも比較的容易に使用することができる。
【００５６】
また、入浴器具３０は、図１０に示すように、微細気泡発生部３１を湯ＨＷ中から取り出し、グリップ部３２を手で握れば、シャワー器具として使用することもできる。この場合、気体供給経路１５に設けられた開閉弁１５ａを開いておけば、吐出口２８からは微細気泡ＮＢ混じりの流体（湯ＨＷ）が放出されるので、これを身体に向かって吹き付けることにより、血行増進作用、温熱効果、鎮静作用、鎮痛作用および自律神経調整作用を得ることができる。この場合、図８で示したように、微細気泡発生部３１の吐出口２８を身体に近づけた使い方をすることも可能であり、このときも図８の場合と同様の効果を得ることができる。
【００５７】
一方、気体導入経路１５に設けられた開閉弁１５ｂを閉じれば空気の供給が停止され、吐出口２８から吐出される湯ＨＷは、図１０に示すように、矢線Ｓ方向に回転しながらスカート状の湯膜３３となって吐出された後、スカート状の湯膜３３が分裂して形成された大量の湯滴３４が回転しながら拡散するようになる。このため、このような湯滴３４を身体に吹き付けることにより、優れたマッサージ効果を得ることができる。また、吐出口２８から放出される湯滴３４を、シャンプーの付いた髪や石けんの付いた身体に吹き付ければ、従来のシャワーよりも優れた消泡作用を得ることができる。
【００５８】
次に、図１１〜図１３を参照して、入浴器具を構成する微細気泡発生部に関するその他の実施の形態について説明する。図１１は微細気泡発生部に関するその他の実施の形態を示す斜視図、図１２は図１１に示す微細気泡発生部を備えた入浴器具の使用状態を示す図、図１３は微細気泡発生部に関するその他の実施の形態を示す斜視図である。なお、図１１〜図１３に示す実施形態の構成部分において、前述した入浴器具１０の構成部分と同じ機能を発揮する部分については、図１〜図８と同じ符号を付して説明を省略する。
【００５９】
図１１に示す微細気泡発生部４１においては、２台の微細気泡発生器１２，１３を、それぞれの吐出口２８ａ，２８ｂが同じ方向を向くとともに仮想中心線（図６参照）同士が互いに平行をなし、且つ液体導入経路１８ａ，１８ｂがいずれも２台の微細気泡発生器１２，１３の間に位置するような状態でケーシング４１ａ内に配置されている。
【００６０】
このような構造の微細気泡発生部４１を、図１に示す入浴器具１０の微細気泡発生部１１の代わりに配置して、図１２に示すような入浴器具４０を形成すれば、吐出口２８ａ，２８ｂに対向する位置から見て、左側の吐出口２８ａから微細気泡ＮＢ混じりの流体が右回りに旋回しながら吐出され、右側の吐出口２８ｂから微細気泡ＮＢ混じりの流体が左回りに旋回しながら吐出される。これによって、浴槽ＢＴ内の湯ＨＷに対し、互いに旋回方向の異なる２種類の微細気泡ＮＢ混じりの流体（湯ＨＷ）を供給することが可能となるため、前述した、血行増進作用、温熱効果、鎮静作用、鎮痛作用および自律神経調整作用を得ることができる。
【００６１】
一方、図１３に示す微細気泡発生部５１においては、２台の微細気泡発生器１２，１３を、それぞれの吐出口２８ａ，２８ｂが同じ方向を向くとともに仮想中心線（図６参照）同士が互いに平行をなし、且つ、２本の液体導入経路１８ａ，１８ｂがいずれも２台の微細気泡発生器１２，１３を挟んで外側に位置するような状態でケーシング５１ａ内に配置している。
【００６２】
このような構造の微細気泡発生部５１を、図１に示す入浴器具１０の微細気泡発生部１１の代わりに配置して入浴器具（図示せず）を形成すれば、吐出口２８ａ，２８ｂに対向する位置から見て、左側の吐出口２８ｂから微細気泡ＮＢ混じりの流体が左回りに旋回しながら吐出され、右側の吐出口２８ａから微細気泡ＮＢ混じりの流体が右回りに旋回しながら吐出される。これによって、浴槽の湯に対して、互いに旋回方向の異なる２種類の微細気泡ＮＢ混じりの流体を供給することが可能となるため、前述と同様、血行増進作用、温熱効果、鎮静作用、鎮痛作用および自律神経調整作用を得ることができる。
【００６３】
なお、図１１〜図１３に示す微細気泡発生部４１，５１においても、液体導入経路１８と、液体導入経路１８ａ，１８ｂとの分岐部分に切替弁（図示せず）を設けることにより、微細気泡発生器１２，１３の両方に湯ＨＷを供給したり、いずれか一方のみに湯ＨＷを供給したりできる構成とすることができる。
【００６４】
前述したように、図１に示す入浴器具１０を構成する微細気泡発生部１１においては、図６，図７に示すように、複数の微細気泡発生器１２，１３が、それぞれの流体旋回室２５の仮想中心線２５ｃ同士のなす角度が１８０度をなすように対向配置され、且つ、複数の微細気泡発生器１２，１３の各流体旋回室２５内で発生する旋回流Ｒの旋回方向が互いに同方向となるように液体導入経路１８ａ，１８ｂが配管されている。即ち、それぞれの仮想中心線２５ｃ同士が同一直線上に位置し、且つ、それぞれの流体旋回室２５内で発生する旋回流Ｒの旋回方向が一致するように構成されている。従って、微細気泡発生器１２の流体旋回室２５内には左回りの旋回流Ｒが発生し、微細気泡発生器１３の流体旋回室２５内には右回りの旋回流Ｒが発生する。なお、「右回り」、「左回り」の表現は、微細気泡発生器１２，１３の内部からそれぞれの吐出口２８を見た状態を基準にして、時計回りを「右回り」とし、反時計回りを「左回り」としている（以下、同様に表現する。）。
【００６５】
このような構造を備えた微細気泡発生部１１を浴槽ＢＴ内の湯ＨＷ中に浸漬して作動させると、図７に示すように、微細気泡発生器１２の吐出口２８から微細気泡ＮＢ混じりの湯が左回りに旋回しながら吐出され、微細気泡発生器１３の吐出口２８から微細気泡ＮＢ混じりの湯が右回りに旋回しながら吐出される。これによって、入浴者Ｍは、優れた血行増進作用、温熱効果、鎮静作用、鎮痛作用および自律神経調整作用を得ることができる。
【００６６】
そこで、このような構造を有する微細気泡発生部１１と比較するため、１台の微細気泡発生器１２を浴槽ＢＴの湯ＨＷに浸漬した構造の入浴器具（図示せず）について同じ条件で入浴を行ったところ、入浴者Ｍが感じる血行増進作用、温熱効果、鎮静作用、鎮痛作用および自律神経調整作用は微細気泡発生部１１よりもやや低くなった。従って、１台の微細気泡発生器１２のみを使用した場合より、２台の微細気泡発生器１２，１３を対向配置した微細気泡発生部１１の方が、前述した血行増進作用などが優れていることが判った。
【００６７】
次に、図１４〜図２２を参照しながら、２つの微細気泡発生器１２，１３の配置形態を変えたときに、血行増進作用などについて、どのような違いが生じるかについて検証したので、その結果について説明する。図１４〜図２２はそれぞれ２つの微細気泡発生器１２，１３の配置状態に関するその他の実施の形態を示す平面図であり、これらの図中に記載している微細気泡発生器１２，１３は、図１〜図７に示す微細気泡発生器１２，１３と同じ構造を有するものである。
【００６８】
図１４に示す実施の形態においては、２つの微細気泡発生器１２がそれぞれの流体旋回室２５（図６，図７参照）の仮想中心線２５ｃが互いに平行をなすように配置され、２つの微細気泡発生器１２の吐出口２８から、微細気泡ＮＢ混じりの湯が左回りに旋回しながら吐出される。このよう配置形態の２つの微細気泡発生部１２を備えた入浴器具について入浴者Ｍが同じ条件で入浴を行ったところ、ある程度の血行増進作用などは得られるが、図１〜図７に示す入浴器具１０には及ばないことが判った。
【００６９】
次に、図１５に示す実施の形態においては、２つの微細気泡発生器１２がそれぞれの流体旋回室２５（図６，図７参照）の仮想中心線２５ｃが互いに直交するように配置され、２つの微細気泡発生器１２の吐出口２８から、微細気泡ＮＢ混じりの湯が左回りに旋回しながら吐出される。このような配置形態の２つの微細気泡発生部１２を備えた入浴器具について入浴者Ｍが同じ条件で入浴を行ったところ、前述と同様、血行増進作用などは得られるが、図１〜図７に示す入浴器具１０を使用した場合に比べると低いことが判った。
【００７０】
次に、図１６に示す実施の形態においては、２つの微細気泡発生器１２がそれぞれの流体旋回室２５（図６，図７参照）の仮想中心線２５ｃが互いに１８０度をなすように、即ち、同一直線上に位置するように配置され、２つの微細気泡発生器１２の吐出口２８から、微細気泡ＮＢ混じりの流体が左回りに旋回しながら吐出される。このような配置形態の２つの微細気泡発生部１２を備えた入浴器具について入浴者Ｍが同じ条件で入浴を行ったところ、前述と同様、ある程度の血行増進作用などは得られるが、図１〜図７に示す入浴器具１０を使用した場合に比べると低いことが判った。
【００７１】
本実施形態の場合、２つの微細気泡発生器１２をそれぞれの流体旋回室２５（図６，図７参照）の仮想中心線２５ｃが互いに１８０度をなすように配置しているが、２つの微細気泡発生器１２内の旋回流Ｒ（図７参照）の旋回方向が一致していないため、このような結果が得られないのではないかと推測される。
【００７２】
次に、図１７に示す実施の形態においては、２つの微細気泡発生器１３がそれぞれの流体旋回室２５（図６，図７参照）の仮想中心線２５ｃが互いに平行をなすように配置され、２つの微細気泡発生器１３の吐出口２８から、微細気泡ＮＢ混じりの湯が右回りに旋回しながら吐出される。２つの微細気泡発生部１３がこのように配置された入浴器具について入浴者Ｍが同じ条件で入浴を行ったところ、ある程度の血行増進作用などは得られるが、図１〜図７に示す入浴器具１０には及ばないことが判った。
【００７３】
次に、図１８に示す実施の形態においては、２つの微細気泡発生器１３がそれぞれの流体旋回室２５（図６，図７参照）の仮想中心線２５ｃが互いに直交するように配置され、２つの微細気泡発生器１３の吐出口２８から、微細気泡ＮＢ混じりの湯が右回りに旋回しながら吐出される。２つの微細気泡発生部１３がこのように配置された入浴器具について入浴者Ｍが同じ条件で入浴を行ったところ、血行増進作用などは得られるが、図１〜図７に示す入浴器具１０において得られる血行増進作用などには達しないことが判った。
【００７４】
次に、図１９に示す実施の形態においては、２つの微細気泡発生器１３がそれぞれの流体旋回室２５（図６，図７参照）の仮想中心線２５ｃが互いに１８０度をなすように、即ち、同一直線上に位置するように配置され、２つの微細気泡発生器１３の吐出口２８から、微細気泡ＮＢ混じりの湯が右回りに旋回しながら吐出される。２つの微細気泡発生部１３がこのように配置された入浴器具について入浴者Ｍが同じ条件で入浴を行ったところ、前述と同様の血行増進作用などは得られるが、図１〜図７に示す入浴器具１０を使用した場合には及ばないことが判った。本実施形態の場合、微細気泡発生器１３をそれぞれの流体旋回室２５（図６，図７参照）の仮想中心線２５ｃが互いに１８０度をなすように配置しているが、図１６で示した実施の形態と同様、２つの微細気泡発生器１３内の旋回流Ｒ（図７参照）の旋回方向が一致していないため、充分な血行増進作用などが得られないのではないかと推測される。
【００７５】
次に、図２０に示す実施の形態においては、２つの微細気泡発生器１２，１３を、それぞれの流体旋回室２５（図６，図７参照）の仮想中心線２５ｃが互いに平行をなすように配置され、微細気泡発生器１２の吐出口２８から微細気泡ＮＢ混じりの湯が左回りに旋回しながら吐出され、微細気泡発生器１３の吐出口２８から微細気泡ＮＢ混じりの湯が右回りに旋回しながら吐出される。このような配置形態の微細気泡発生部１２，１３を備えた入浴器具について入浴者Ｍが同じ条件で入浴を行ったところ、ある程度の血行増進作用などは得られるものの、図１〜図７に示す入浴器具１０には及ばないことが判った。
【００７６】
次に、図２１に示す実施の形態においては、２つの微細気泡発生器１２，１３を、それぞれの流体旋回室２５（図６，図７参照）の仮想中心線２５ｃが互いに直交するように配置され、微細気泡発生器１２の吐出口２８から微細気泡ＮＢ混じりの湯が左回りに旋回しながら吐出され、微細気泡発生器１３の吐出口２８から微細気泡ＮＢ混じりの湯が右回りに旋回しながら吐出される。このような配置形態の微細気泡発生部１２，１３を備えた入浴器具について入浴者Ｍが同じ条件で入浴を行ったところ、血行増進作用などは得られるものの、図１〜図７に示す入浴器具１０には及ばないことが判った。
【００７７】
最後に、図２２に示す実施の形態においては、２つの微細気泡発生器１２，１３が、それぞれの流体旋回室２５（図６，図７参照）の仮想中心線２５ｃが互いに１７０度の角度をなすように配置されている。微細気泡発生器１２の吐出口２８から微細気泡ＮＢ混じりの湯が左回りに旋回しながら吐出され、微細気泡発生器１３の吐出口２８から微細気泡ＮＢ混じりの湯が右回りに旋回しながら吐出される。このような配置形態の微細気泡発生部１２，１３を備えた入浴器具について入浴者Ｍが同じ条件で入浴を行ったところ、血行増進作用などは得られるが、前述した実施形態と同様、図１〜図７に示す入浴器具１０には及ばないことが判った。
【００７８】
本実施形態の場合、２つの微細気泡発生器１２，１３をそれぞれの流体旋回室２５（図６参照）の仮想中心線２５ｃが互いに１７０度の角度をなすように配置しているため、図１〜図７に示す入浴器具１０における配置形態に最も近いにもかかわらず、実際に得られる血行増進作用などは入浴器具１０より低い結果となった。このような結果から判断すると、図６，図７に示すように、２つの微細気泡発生器１２，１３を、それぞれの流体旋回室２５（図６参照）の仮想中心線２５ｃが互いに１８０度をなすように、即ち、同一直線上に位置するように配置するとともに、微細気泡発生器１２，１３内の旋回流Ｒの旋回方向が一致する場合に最も優れた血行増進作用などが得られることが判る。
【００７９】
なお、入浴器具１０と同程度の血行増進作用などが得られるのは、微細気泡発生器１２，１３が、それぞれの流体旋回室２５（図６，図７参照）の仮想中心線２５ｃ同士のなす角度が１８０±５度の範囲内に配置されたときに限られ、この範囲から外れると、血行増進作用などは約６０％程度まで低下する。従って、微細気泡発生器１２，１３の流体旋回室２５（図６，図７参照）の仮想中心線２５ｃ同士のなす角度は、１８０±５度の範囲内が好適であり、特に、１８０度が最適であり、このときに最も優れた血行増進作用などが得られることが判明した。
【００８０】
このような配置をすることによって最も優れた血行増進作用などが得られる理由については不明な点が多いが、それぞれの微細気泡発生器１２，１３の吐出口２８から対向して吐出される微細気泡ＮＢ混じりの流体の旋回方向が互いに一致するとともに、旋回流Ｒの仮想中心線でもある仮想中心線２５ｃ同士が同一直線上に並ぶため、これらの相乗効果により、前述した作用がさらに向上するのではないかと予測される。
【産業上の利用可能性】
【００８１】
本発明の入浴器具は、一般家庭の浴室、公衆浴場あるいは温泉などにおいて広く利用することができる。
【図面の簡単な説明】
【００８２】
【図１】本発明の第１実施形態である入浴器具の使用状態を示す図である。
【図２】図１に示す入浴器具の側面図である。
【図３】図１に示す入浴器具の正面図である。
【図４】図１に示す入浴器具を構成する微細気泡発生器を示す斜視図である。
【図５】図４におけるＢ−Ｂ線断面図である。
【図６】図２におけるＡ−Ａ断面図である。
【図７】図４に示す入浴器具内における微細気泡発生状態を示す図である。
【図８】図１に示す入浴器具のその他の使用状態を示す図である。
【図９】本発明の第２実施形態である入浴器具の使用状態を示す斜視図である。
【図１０】図９に示す入浴器具のその他の使用状態を示す図である。
【図１１】微細気泡発生部に関するその他の実施の形態を示す斜視図である。
【図１２】図１１に示す微細気泡発生部を備えた入浴器具の使用状態を示す図である。
【図１３】微細気泡発生部に関するその他の実施の形態を示す斜視図である。
【図１４】２つの微細気泡発生器の配置に関するその他の実施の形態を示す平面図である。
【図１５】２つの微細気泡発生器の配置に関するその他の実施の形態を示す平面図である。
【図１６】２つの微細気泡発生器の配置に関するその他の実施の形態を示す平面図である。
【図１７】２つの微細気泡発生器の配置に関するその他の実施の形態を示す平面図である。
【図１８】２つの微細気泡発生器の配置に関するその他の実施の形態を示す平面図である。
【図１９】２つの微細気泡発生器の配置に関するその他の実施の形態を示す平面図である。
【図２０】２つの微細気泡発生器の配置に関するその他の実施の形態を示す平面図である。
【図２１】２つの微細気泡発生器の配置に関するその他の実施の形態を示す平面図である。
【図２２】２つの微細気泡発生器の配置に関するその他の実施の形態を示す平面図である。
【符号の説明】
【００８３】
１０，３０，４０  入浴器具
１１，３１，４１，５１  微細気泡発生部
１１ａ，３１ａ，４１ａ，５１ａ  ケーシング
１２，１３  微細気泡発生器
１４ａ，１４ｂ，１５  気体導入経路
１５ａ，１５ｂ  開閉弁
１６  酸素富化器
１６ａ  酸素富化膜
１７  エアクリーナ
１８  液体導入経路
１８ａ，１８ｂ  液体導入経路
１９  フィルタ
２１  凹曲面
２３  分岐具
２４  気液供給装置
２５  流体旋回室
２５ａ，２５ｂ  隔壁
２５ｃ  仮想中心線
２５ｄ  周壁
２５ｐ  予備旋回部
２６  気体導入口
２７  液体導入口
２８，２８ａ，２８ｂ  吐出口
２９  混合室
２９ａ  放出口
３２  グリップ部
３３  湯膜
３４  湯滴
ＡＤ  電源アダプタ
ＡＰ  エアポンプ
ＢＴ  浴槽
ＢＲ  浴室
Ｈ  手
ＨＷ  湯
Ｍ  入浴者
ＮＢ  微細気泡
Ｐ  ポンプ
Ｒ  旋回流
Ｓ  矢線
Ｖ  負圧空洞部
【図１】
2006150049.tif 000003
【図２】
2006150049.tif 000004
【図３】
2006150049.tif 000005
【図４】
2006150049.tif 000006
【図５】
2006150049.tif 000007
【図６】
2006150049.tif 000008
【図７】
2006150049.tif 000009
【図８】
2006150049.tif 000010
【図９】
2006150049.tif 000011
【図１０】
2006150049.tif 000012
【図１１】
2006150049.tif 000013
【図１２】
2006150049.tif 000014
【図１３】
2006150049.tif 000015
【図１４】
2006150049.tif 000016
【図１５】
2006150049.tif 000017
【図１６】
2006150049.tif 000018
【図１７】
2006150049.tif 000019
【図１８】
2006150049.tif 000020
【図１９】
2006150049.tif 000021
【図２０】
2006150049.tif 000022
【図２１】
2006150049.tif 000023
【図２２】
2006150049.tif 000024